(57)【要約】【課題】薬剤を使わずにシロアリや木材腐朽菌等の有害生物が駆除できる、建築物における有害生物の駆除方法および建築構造体を提供する。【解決手段】建築物のうち有害生物が生息しているかまたは生息し易い部分を含む床下空間部Ｓに、二酸化炭素を固体化したものを昇華させて発生したガスを充満させて、上記床下空間部Ｓの空気の一部または全部が上記ガスによって置換されることにより、有害生物を窒息させて駆除する。【選択図】　　　　図１
2004132020.tif 000002
【特許請求の範囲】
【請求項１】
建築物のうち有害生物が生息しているかまたは生息し易い部分を含む空間部を無酸素状態または酸素欠乏状態にすることによって有害生物を窒息させて駆除することを特徴とする、
建築物における有害生物の駆除方法。
【請求項２】
建築物のうち有害生物が生息しているかまたは生息し易い部分を含む空間部に酸素吸着手段を備えることにより、有害生物を窒息させて駆除することを特徴とする、
建築物における有害生物の駆除方法。
【請求項３】
建築物のうち有害生物が生息しているかまたは生息し易い部分を含む空間部に、酸素を含まないか実質的に含まないガスを充満させて、上記空間部の空気の一部または全部が上記ガスによって置換されることにより、有害生物を窒息させて駆除することを特徴とする、
建築物における有害生物の駆除方法。
【請求項４】
建築物のうち有害生物が生息しているかまたは生息し易い部分を含む空間部に、二酸化炭素を固体化したものを昇華させて発生したガスを充満させて、上記空間部の空気の一部または全部が上記ガスによって置換されることにより、有害生物を窒息させて駆除することを特徴とする、
建築物における有害生物の駆除方法。
【請求項５】
有害生物が生息しているかまたは生息し易い部分を含む空間部を有し、当該空間部は気密または実質的に気密に形成されて無酸素状態または酸素欠乏状態をつくり出すことができるように構成してあることを特徴とする、
建築構造体。
【請求項６】
少なくとも基礎の上面と床部との間に空間部を有していることを特徴とする、
請求項５記載の建築構造体。
【請求項７】
壁部の内部に空間部と連通する空間を有していることを特徴とする、
請求項５または６記載の建築構造体。
【請求項８】
壁部に、空間部を無酸素状態または酸素欠乏状態にできる手段を供給するための供給部が備えてあることを特徴とする、
請求項５，６または７記載の建築構造体。
【請求項９】
空気調和機を備え、空間部は空気調和機から送出された空気が通気するように構成してあることを特徴とする、
請求項５，６，７または８記載の建築構造体。
【発明の詳細な説明】
【０００１】
【発明の属する技術分野】
本発明は、建築物における有害生物の駆除方法および建築構造体に関する。更に詳しくは、薬剤を使わずにシロアリや木材腐朽菌等の有害生物が駆除できるようにしたものに関する。
【０００２】
【従来の技術】
古来から日本は湿気の多い風土であり、このため木造住宅は、所要の高さを有する基礎を形成して、その上に建物を設けた構造を有している。また、地面と建物との間には空間部（床下空間部）が形成されている。床下空間部に溜まる湿気は、基礎に設けた換気口によって外部に排出できるようにしてある。
【０００３】
しかし、床下空間部には換気口を設けても湿気が溜まり易かった。このため土台等の木材は、木材腐朽菌（ワタグサレタケ、カワラタケ、ナミダタケなどの菌類等）によって腐り易く、また、湿った木材を好むシロアリによって食い荒らされることがあった。
【０００４】
従って、現在、建築される木造住宅では、その殆どが防蟻と防腐効果を備える薬剤を染み込ませた木材が使われている。また、木材に染み込ませた薬剤は、時間の経過と共に蒸散し効果が薄れるので、建築後にあっては更に数年ごと（例えば、五年ごと）に薬剤を再散布することが推奨されている。例えば、特許文献１、２には、薬剤を床下等に散布する装置または方法が開示されている。
【０００５】
【特許文献１】
実開昭５９−１１７３７１号公報
【特許文献２】
特開昭６３−１７６４５号公報
【０００６】
【発明が解決しようとする課題】
しかし、薬剤を染み込ませた木材を使って建築物を建てることには、次のような課題があった。
即ち、シロアリ駆除や木材防腐のために使用される薬剤は、非常に毒性が強い。従って、人体にも悪影響を与える危険性があった。特に、近年の住宅は、省エネルギー化を図るために高い気密性を有するようになっているので、例えば、床下空間部の空気が室内に流れ込むような箇所があると、蒸散した薬剤を含む空気が室内に滞留してしまい、長期にわたって健康が害されることが懸念される。
【０００７】
本発明者は、上記課題に鑑み、薬剤を使わずに防蟻と防腐効果を得ることができないものか研究を重ねた。その結果、シロアリや木材腐朽菌が生きるために酸素を必要とするところに着目し、有害生物が生息し易い部分を含む空間部に無害なガスを充満させて、相対的に上記空間部における酸素含有量を低下させることができれば、これらの有害生物を窒息させて駆除できることを知見した。
本発明は、上記知見に基づき完成したものである。
【０００８】
（本発明の目的）
本発明の目的は、薬剤を使わずにシロアリや木材腐朽菌等の有害生物が駆除できる、建築物における有害生物の駆除方法および建築構造体を提供することにある。
【０００９】
【課題を解決するための手段】
上記目的を達成するために講じた本発明の手段は次のとおりである。
第１の発明にあっては、
建築物のうち有害生物が生息しているかまたは生息し易い部分を含む空間部を無酸素状態または酸素欠乏状態にすることによって有害生物を窒息させて駆除することを特徴とする、
建築物における有害生物の駆除方法である。
【００１０】
第２の発明にあっては、
建築物のうち有害生物が生息しているかまたは生息し易い部分を含む空間部に酸素吸着手段を備えることにより、有害生物を窒息させて駆除することを特徴とする、
建築物における有害生物の駆除方法である。
【００１１】
第３の発明にあっては、
建築物のうち有害生物が生息しているかまたは生息し易い部分を含む空間部に、酸素を含まないか実質的に含まないガスを充満させて、上記空間部の空気の一部または全部が上記ガスによって置換されることにより、有害生物を窒息させて駆除することを特徴とする、
建築物における有害生物の駆除方法である。
【００１２】
第４の発明にあっては、
建築物のうち有害生物が生息しているかまたは生息し易い部分を含む空間部に、二酸化炭素を固体化したものを昇華させて発生したガスを充満させて、上記空間部の空気の一部または全部が上記ガスによって置換されることにより、有害生物を窒息させて駆除することを特徴とする、
建築物における有害生物の駆除方法である。
【００１３】
第５の発明にあっては、
有害生物が生息しているかまたは生息し易い部分を含む空間部を有し、当該空間部は気密または実質的に気密に形成されて無酸素状態または酸素欠乏状態をつくり出すことができるように構成してあることを特徴とする、
建築構造体である。
【００１４】
第６の発明にあっては、
少なくとも基礎の上面と床部との間に空間部を有していることを特徴とする、
第５の発明に係る建築構造体である。
【００１５】
第７の発明にあっては、
壁部の内部に空間部と連通する空間を有していることを特徴とする、
第５または第６の発明に係る建築構造体である。
【００１６】
第８の発明にあっては、
壁部に、空間部を無酸素状態または酸素欠乏状態にできる手段を供給するための供給部が備えてあることを特徴とする、
第５，第６または第７の発明に係る建築構造体である。
【００１７】
第９の発明にあっては、
空気調和機を備え、空間部は空気調和機から送出された空気が通気するように構成してあることを特徴とする、
第５，第６，第７または第８の発明に係る建築構造体である。
【００１８】
本明細書でいう「酸素吸着手段」としては、例えば、鉄粉を主成分とする脱酸素剤等を挙げることができるが、特に限定するものではない。
【００１９】
本明細書でいう「ガス」は、空間部の空気と置換するよう充満したときに空間部を無酸素状態または酸素欠乏状態にするもので、例えば、二酸化炭素（炭酸ガス）や窒素等のガスが使用可能である。また、二酸化炭素を固体化したもの（いわゆるドライアイス）を昇華させたガスを使用することも可能である。しかしながら、ガスはこれらに限定するものではないが、安全性の観点から通常は毒性を持たないものが使用される。
【００２０】
本明細書で「気密」という用語は、厳密な意味での気体を通さない、または気体に対して密閉されているという状態を示すものではなく、若干は隙間等があってそこからは気体が外部に出ることができるような状態も含む概念として使用している。
【００２１】
本明細書でいう「空間部を無酸素状態または酸素欠乏状態にできる手段」は、例えば、鉄粉を主成分とする脱酸素剤や、上記したガス（固体化したものも含む）を挙げることができるが、特に限定するものではない。
【００２２】
本明細書でいう「有害生物が生息しているかまたは生息し易い部分を含む空間部」は、例えば、床下の空間、内壁と外壁の間の空間、屋根裏の空間、ふところの空間等が挙げられるが、特に限定するものではない。
【００２３】
駆除の対象となる「有害生物」としては、例えば、カ、ハエ、ノミ、ヨトウムシ、ゴキブリ、マメコガネ、アブラムシ、ウンカ、シロアリ、ダニ等や、木材木材腐朽菌等の好気性菌等を挙げることができる。
【００２４】
（作　用）
本発明に係る建築物における有害生物の駆除方法によれば、有害生物が生息しているかまたは生息し易い部分を含む空間部を無酸素状態または酸素欠乏状態にして、有害生物を窒息させて駆除できる。
【００２５】
また、有害生物が生息しているかまたは生息し易い部分を含む空間部に酸素吸着手段を備えることにより、有害生物を窒息させて駆除できる。
【００２６】
更に、有害生物が生息しているかまたは生息し易い部分を含む空間部に、酸素を含まないか実質的に含まないガスを充満させて、または二酸化炭素を固体化したものを昇華させて発生したガスを充満させて、上記空間部の空気の一部または全部が上記ガスによって置換されることにより、有害生物を窒息させて駆除できる。
【００２７】
本発明に係る建築構造体は、有害生物が生息しているかまたは生息し易い部分を含む空間部を有し、空間部が気密または実質的に気密に形成されて無酸素状態または酸素欠乏状態をつくり出すことができる建築構造を有している。
この建築構造体によれば、空間部を無酸素状態または酸素欠乏状態にして、有害生物を窒息させて駆除できる。
【００２８】
少なくとも基礎の上面と床部との間に空間部を有している建築構造体は、基礎の上面と床部との間に生息している有害生物が駆除できる。
【００２９】
壁部の内部に空間部と連通する空間を有している建築構造体は、壁部の空間を通してから、例えば、酸素を含まないか実質的に含まないガスや、二酸化炭素を固体化したものを昇華させて発生したガス等を空間部に送ることができる。
【００３０】
壁部に、空間部を無酸素状態または酸素欠乏状態にできる手段を供給するための供給部が備えた建築構造体は、この供給部から、例えば、二酸化炭素を固体化したものを入れて、昇華して発生したガスを空間部に送ることができる。
【００３１】
空気調和機を備え、空間部は空気調和機から送出された空気が通気するように構成してある建築構造体は、空間部に空気調和機から送出された空気を通気させることができる。
【００３２】
【発明の実施の形態】
本発明の実施の形態を図面に基づき更に詳細に説明する。
図１は本発明に係る建築構造を有する建築物の一実施の形態を示しており、調和空気用通気路の箇所から断面した状態の概略全体断面図、
図２はガス用通気路の箇所から断面した状態を示す要部拡大断面図、
図３は建築物を室内側から見た状態を示す説明図である。
なお、図１ないし図３で示す建築物は、枠組壁工法（いわゆるツーバイフォー工法）で建てたものを示したが、本発明に係る建築構造は、例えば、軸組工法で建てる建築物に対しても用いることができる。
【００３３】
建築物は、現場打ちで形成したべた基礎１と、その上部に建てた建物Ｔから構成されている。
べた基礎１の上角部には、土台２（後述）を設けるための切欠部１０が形成されている。切欠部１０は、取り付けた土台２の上面と、べた基礎１の上面とが略面一になる大きさに形成されている。
【００３４】
べた基礎１の切欠部１０には、木製の角材からなる土台２が設けてある。土台２の上部には、壁面を構成するパネル部材３が載せて取り付けてある。パネル部材３は、通常、予め工場等で一体に組み立てられている。パネル部材３は、取り付け時において上下部分に位置して横方向に延びる横部材３００，３００と、横部材３００，３００間に架設される縦部材３０１・・・とを枠組して形成された枠部材３０を備えている。枠部材３０の外面側には、所要の厚みを有する外壁部材３１が張り付けてある。土台２は、上部にパネル部材３が取り付けられることで、外面側が外壁部材３１で覆われて外部から見えないようになる（図２参照）。
【００３５】
パネル部材３を構成する枠部材３０には、縦部材３０１・・・によって空間が区画されて複数の区画部が形成されている。区画部には、断熱材が充填される部分と、調和空気用通気路３２１（後述）となる部分と、ガス用通気路３２２（後述）となる部分とがある。このうち調和空気用通気路３２１とガス用通気路３２２に対応する下部の横部材３００には切欠通気路３０２が設けてあり、調和空気用通気路３２１を通った空気や、ガス用通気路３２２を通ったガスが、床下空間部Ｓ（後述）へ通気できるようにしてある。
【００３６】
べた基礎１の上面には、所要の長さを有するように形成してある横木部材４が、幅方向に間隔を設けて略平行な状態で複数本置いて固定してある。各横木部材４は、横木構成部材４０・・・を、各横木構成部材４０の間に通気部４００（隙間）が形成されるように長さ方向に断続的に複数本設けて形成してある。横木構成部材４０は、角棒材（例えば、一辺の長さが略２５ｍｍの断面四角形状のもの）で形成してあり、両側の端面がそれぞれ平面視において斜めに、略「ハ」字状を有するように形成してある。横木構成部材４０は、端面が隣り合う横木構成部材４０の端面と略平行な状態になるようにして固定してある。
【００３７】
なお、本実施の形態で横木部材４は、横木構成部材４０を長さ方向に断続的に複数本設けて、各横木構成部材４０の間に通気部４００が形成されるようにしたものを示したが、これは限定するものではなく、横木部材は、例えば、長尺状の部材で、この部材に通気のための穴や溝を形成したもの等を使用することもできる。また、材料も木製のものに限定するものではなく、例えば、合成樹脂や金属製のものを使用することもできる。
【００３８】
横木部材４の上面には、木製の床板５が、横木部材４の長さ方向と直交する方向を向くように固定してある。床板５は、内壁部材６（後述）の下方に空間部が形成されるように設けられている（図２参照）。こうして床板５の下側とべた基礎１の上面との間に、横木部材４がスペーサとなって床下空間部Ｓが形成される。床下空間部Ｓは、有害生物が生息しているかまたは生息し易い部分となる。
【００３９】
なお、床板は無垢の木材を用いたものを使うこともできるし、集成されたもの（集成材）を用いたものを使うこともできる。また、床板は木製のものに限定するものではなく、例えば、石（大理石等）、陶磁器（タイル等）、金属、合成樹脂製のものを使用することもできる。
【００４０】
パネル部材３の内面側には、所要の厚みを有する内壁部材６が、釘やビス等によって枠部材３０に張り付けてある。内壁部材６は、天井面との間にできるだけ隙間ができないように持ち上げ、逆に、床面（床板５）との間には若干の隙間Ｃができるようにして取り付けられる（図２参照）。
【００４１】
内壁部材６のうち調和空気用通気路３２１と対応する部分の上部側には、調和空気用通気路３２１に送られた空気が室内側に放出されるようにするための調和空気吹出口６０が形成されている。調和空気吹出口６０は、調和空気用通気路３２１の間隔よりもやや幅狭に形成されており、調和空気用通気路３２１を通る空気が床下空間部Ｓにも送られるようにしてある。
【００４２】
なお、調和空気用通気路３２１に空気を送るための空気調和機７（室内側の装置）は、天井に埋め込んで設けてある。この空気調和機７は、室内の空気を天井側より吸い込んで、空気調和後の空気を調和空気用通気路３２１に送る。なお、空気調和機７は公知技術のものを使用したので、詳細な説明は省略する。
【００４３】
また、内壁部材６のうちガス用通気路３２２と対応する部分には、内壁を凹ませて凹部６１（ニッチ部）が形成されている。凹部６１は、空間部を無酸素状態または酸素欠乏状態にできる手段を供給するための供給部である。凹部６１の底部には棚板６１０が設けてある。棚板６１０の所要位置には、投入口６１３（図２参照）が開口して形成してある。通常、棚板６１０の投入口６１３は、板状の閉塞部材６１１を上面側から被せて塞いである。
【００４４】
棚板６１０の下側となるガス用通気路３２２には、例えば、無害なガスを固体化したもの（例えば、二酸化炭素を固体化したもの（ドライアイス（商標）））を入れる載置容器６１２が、棚板６１０の裏面より吊り下げてある。本実施の形態で載置容器６１２は金網で形成したものを使用したが、ガスを固体化したものが収容可能で、かつ通気可能であれば、この構造に限定するものではない。
【００４５】
また、凹部６１の側面には、調和空気用通気路３２１を仕切る仕切弁装置６２のハンドル６２０が設けてある。仕切弁装置６２は、調和空気用通気路３２１の略全幅にわたって設けられた回動軸６２１に、長方形状の仕切板６２２が固定して設けられた構造を有している。仕切弁装置６２は、ハンドル６２０を操作して仕切板６２２を回動させることで、調和空気用通気路３２１を開閉し、これにより調和空気用通気路３２１を通る空気を床下空間部Ｓに送ったり送らないようにする。
【００４６】
内壁部材６の下部側には、内壁部材６と床面（床板５）の間の隙間Ｃを塞がないように幅木部材８が取り付けてある。こうして幅木部材８と床面との間にも隙間Ｃが形成されている（図２参照）。
【００４７】
（作　用）
図１ないし図３を参照して本実施の形態で示す建築物の作用を説明する。
まず、床下空間部Ｓに生息している有害生物を駆除する場合について説明する。
なお、床下空間部Ｓには、通常状態（有害生物を駆除しない状態）において空気調和機７による空気が送られている。このことについては後述する。従って、有害生物を駆除する際は、始めにハンドル６２０によって仕切板６２２を回動させて調和空気用通気路３２１を閉じる。こうして空気調和機７による調和空気用通気路３２１を通る空気が床下空間部Ｓに送られないようにする。
【００４８】
そして、凹部６１の閉塞部材６１１を取り除いて、棚板６１０の投入口６１３からガスを固体化したものをガス用通気路３２２内に投入する。本実施の形態では二酸化炭素を固体化したもの（ドライアイス）を投入する。ドライアイスは、空間部を無酸素状態または酸素欠乏状態にできる手段を構成する。ドライアイスは載置容器６１２内に収容される。ドライアイスを投入後の投入口６１３は再び閉塞部材６１１で塞がれる。
【００４９】
載置容器６１２内に収容されたドライアイスは、次第に昇華して固体からガスに状態が変化する。このガス（二酸化炭素（炭酸ガス））は密度が空気の１．５３倍と高いので、ガス用通気路３２２に案内されて下部側に移動し、ガス用通気路３２２に対応するように形成された切欠通気路３０２を通って床下空間部Ｓ内に流れ込む。
【００５０】
床下空間部Ｓに流れ込んだガスは、横木構成部材４０の間の通気部４００を通り、もともと床下空間部Ｓにあった空気と置換するようにして、床下空間部Ｓの全体にわたって充満した状態となる。このように床下空間部Ｓの全体にわたってガスが充満した状態になることにより、床下空間部Ｓ内の空気は相対的に酸素含有量が低下した状態になる。つまり、こうして床下空間部Ｓ内の空気を無酸素状態または酸素欠乏状態にできるので、生きるために酸素を必要とするシロアリや木材腐朽菌等の有害生物を窒息させて駆除できる。
【００５１】
本実施の形態で示す建築物によれば、このように薬剤を使わずに床下空間部Ｓに生息している有害生物が駆除できるので、ドライアイスの投入量を間違えたりしなければ、駆除にあたって人体に悪影響を与える危険性がない。
【００５２】
なお、ドライアイスはガスに状態変化することにより固体時の約１７００倍の体積を有するようになるので、床下空間部Ｓにガスを充満させるのに必要なドライアイスの量は、６畳の大きさを有する部屋で、横木部材の高さが約２５ｍｍに設定してある場合では、１．０ｋｇ（大きさで言えば約縦１２０ｍｍ×横６０ｍｍ×高さ２４ｍｍ位）程度あれば十分である。
【００５３】
また、内壁部材６と床面（床板５）の間や、幅木部材８と床面との間には、床下空間部Ｓと室内空間との通気が可能なように若干の隙間Ｃが形成されているが、ドライアイスが昇華してできたガスは上記したように密度が高いので、ガスを床下空間部Ｓに充満させるときに、ガスが床下空間部Ｓに流れずにこの隙間Ｃから室内空間へ流れ出すことは殆どない。しかもガスは、有害生物を窒息させるのに必要な時間だけ床下空間部Ｓに充満されていれば良く、長時間充満した状態を維持する必要もない。従って、上記隙間からガスが室内空間に流れることは、その量が大量にならない限り問題にはならない。
【００５４】
上記した床下空間部Ｓにガスを充満させる作業は、ガスは無害であるが投入量を間違ったりして室内空間に大量に存在するようになると危険であるので、安全性を考慮して窓や戸等を開放して換気を良くした状態で行うことが好ましい。
【００５５】
ところで床下空間部Ｓへの有害生物の駆除作業は、頻繁に行うものではなく、通常、生物の活動期や産卵期等の所定の時期だけ行えば良い。従って、駆除作業を行わないとき床下空間部Ｓへは、空気調和機７の空気が送られるようになっている。
【００５６】
次に、床下空間部Ｓに空気調和機７による空気を送る場合について説明する。
有害生物の駆除後に、床下空間部Ｓに空気調和機７による空気を送る場合では、まず、ハンドル６２０で仕切板６２２を回動させて調和空気用通気路３２１を開ける。なお、仕切板６２２によって調和空気用通気路３２１が閉じられていれば、空気調和機７による空気は調和空気吹出口６０から室内空間に放出される。
【００５７】
こうして空気調和機７による空気は、調和空気用通気路３２１を通って下方へ送られ、対応するように形成された切欠通気路３０２を通って床下空間部Ｓ内に流れ込む。
【００５８】
床下空間部Ｓに流れ込んだ空気は、上記したガスの場合と同様に、横木構成部材４０の間の通気部４００を通って床下空間部Ｓの全体に充満した状態となる。そして、この空気は、空気調和機７から常時床下空間部Ｓに強制的に送られているので、床下空間部Ｓを通った空気は、内壁部材６と床面（床板５）の間や、幅木部材８と床面の間の隙間Ｃから漏れ出て室内空間へ放出される。
【００５９】
このとき床下空間部Ｓに残っているガス（二酸化炭素）は、空気調和機７による空気と同様に、上記隙間Ｃから室内空間へ放出（強制的に排気）される。従って、床下空間部Ｓにガスが充満させてある状態から空気調和機７による空気を送るように切り替えた場合では、しばらくは安全性を考慮して窓や戸等を開放して換気を良くした状態にしておくことが好ましい。
【００６０】
床下空間部Ｓから隙間を通って室内空間へ放出された空気は、再び、空気調和機７に吸い込まれて室内空間や床下空間部Ｓに送られる。こうして室内空間の空気は循環する。
【００６１】
空気調和機７による空気を床下空間部Ｓに送ることによって、床下空間部Ｓを乾燥した状態にできるので、このことによっても有害生物の発生防止の効果が期待できる。
【００６２】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００６３】
【発明の効果】
本発明に係る建築物における有害生物の駆除方法によれば、建築物のうち有害生物が生息しているかまたは生息し易い部分を含む空間部に、例えば、酸素吸着手段を備えたり、または、酸素を含まないか実質的に含まないガスや、二酸化炭素を固体化したものを昇華させて発生したガスを充満させたりすることにより、空間部を無酸素状態または酸素欠乏状態にして有害生物を窒息させて駆除することができる。つまり、薬剤を使わずにシロアリや木材腐朽菌等の有害生物が駆除できるので、駆除にあたって人体に悪影響を与える危険性がない。また、本発明に係る建築構造体は、上記駆除方法を使用する構造として好適である。
【図面の簡単な説明】
【図１】本発明に係る建築構造を有する建築物の一実施の形態を示しており、調和空気用通気路の箇所から断面した状態の概略全体断面図。
【図２】ガス用通気路の箇所から断面した状態を示す要部拡大断面図。
【図３】建築物を室内側から見た状態を示す説明図。
【符号の説明】
１　基礎
１０　切欠部
２　土台
３　パネル部材
３０　枠部材
３００　横部材
３０１　縦部材
３０２　切欠通気路
３１　外壁部材
３２１　調和空気用通気路
３２２　ガス用通気路
４　横木部材
４０　横木構成部材
４００　通気部
５　床板
６　内壁部材
６０　調和空気吹出口
６１　凹部
６１０　棚板
６１１　閉塞部材
６１２　載置容器
６１３　投入口
６２　仕切弁装置
６２０　ハンドル
６２１　回動軸
６２２　仕切板
７　空気調和機
８　幅木部材
Ｓ　床下空間部
Ｔ　建物
【図１】
2004132020.tif 000003
【図２】
2004132020.tif 000004
【図３】
2004132020.tif 000005